(57)【要約】      （修正有）【課題】タイルを所定の壁面に平坦に固定させ、タイルの固定を強化させるタイル固定具を提供する。【解決手段】タイル固定具１は上引き部品および下押し部品を備える。上引き部品はベース１１、仕切り板１２および引き部材１３を有する。ベース１１は複数のオーバーフロー穴１１１を有する。仕切り板１２はベース１１上に設置され、かつベース１１上に設置される複数のタイル３０を仕切ることに適する。引き部材１３は仕切り板１２上に設置される。下押し部品は押し蓋２１を有する。【選択図】図１
0003220688.tif 000002
【実用新案登録請求の範囲】
【請求項１】
複数のオーバーフロー穴を有するベースと、
前記ベース上に設置され、かつ前記ベース上に設置される複数のタイルを仕切ることに適する仕切り板と、
前記仕切り板上に設置される引き部材と、を備えることを特徴とするタイル固定具。
【請求項２】
前記タイル固定具は複数のタイルにおける複数の隅を固定させることに適することを特徴とする請求項１に記載のタイル固定具。
【請求項３】
前記複数のオーバーフロー穴は前記ベースを貫通し、かつモルタル材料が前記ベースの一方の表面から前記ベースの他方の表面に溢れ出ることを特徴とする請求項１に記載のタイル固定具。
【請求項４】
前記ベースは矩形であり、かつ前記仕切り板は十字形の仕切り板であり、四つのタイルを仕切ることに適し、あるいはT字形の仕切り板であり、二つまたは三つのタイルを仕切ることに適することを特徴とする請求項１に記載のタイル固定具。
【請求項５】
前記複数のオーバーフロー穴は前記仕切り板に基づいて対称的に分布されることを特徴とする請求項１に記載のタイル固定具。
【請求項６】
前記引き部材は縮み部分を有し、かつ前記引き部材が前記縮み部分を通じて前記仕切り板に接続することを特徴とする請求項１に記載のタイル固定具。
【請求項７】
前記引き部材を通過させるための開口部が形成される押し蓋を有することを特徴とする請求項１に記載のタイル固定具。
【請求項８】
前記押し蓋は前記ベースと合わせて、前記仕切り板に仕切られる複数のタイルを挟むことに適することを特徴とする請求項７に記載のタイル固定具。
【請求項９】
前記押し蓋は上壁および複数の側壁を有し、前記複数の側壁が垂直で前記上壁に接続し、かつ前記開口部が前記上壁を貫通することを特徴とする請求項７に記載のタイル固定具。
【請求項１０】
前記開口部は傾斜内壁を有し、前記引き部材は鋸歯状外壁を有し、前記開口部の前記傾斜内壁が前記引き部材の前記鋸歯状外壁に相応することを特徴とする請求項７に記載のタイル固定具。
【請求項１１】
前記引き部材は前記仕切り板の一方と離れる引き穴を有することを特徴とする請求項１に記載のタイル固定具。
【請求項１２】
前記開口部はねじ穴であり、前記引き部材はねじ状外壁を有し、前記開口部の前記ねじ穴が前記引き部材の前記ねじ状外壁に相応することを特徴とする請求項７に記載のタイル固定具。
【考案の詳細な説明】
【技術分野】
【０００１】
本考案は、複数のタイルが互いに同じ水平面で揃うことを促進でき、タイルを所定の壁面に平坦に貼り付けて固定させ、タイルの固定を強化させるタイル固定具に関する。
【背景技術】
【０００２】
タイルはよく建物の床および壁面の装飾に用いるが、タイルの貼り付けはいつも揃えづらくて、前後、左右および上下の揃いは容易ではない。
【０００３】
図１３は既知技術における不揃いの複数のタイル３０である。タイル３０とタイル３０の間の間隔および高さは不一致であり、位置ずれとなり、建物の外観が見苦しくなり、かつタイル落下による危険が容易に発生する。したがって、既知技術を改善する必要がある。
【考案の概要】
【考案が解決しようとする課題】
【０００４】
本考案は、このような問題点に鑑みてなされたもので、ベースと、仕切り板と、引き部材とを備えるタイル固定具を提供する。前記ベースは複数のオーバーフロー穴を有する。前記仕切り板は前記ベース上に設置され、かつ前記ベース上に設置される複数のタイルを仕切ることに適する。前記引き部材は前記仕切り板上に設置される。
【課題を解決するための手段】
【０００５】
本考案の実施例により、本考案のタイル固定具は複数のタイルにおける複数の隅を固定させることに適する。複数のタイルにおける複数の隅の前後、左右、上下が揃えば、複数のタイルが揃うようになる。
【０００６】
本考案の実施例により、前記複数のオーバーフロー穴は前記ベースを貫通し、かつモルタル材料が前記ベースの一方の表面から前記ベースの他方の表面に溢れ出る。
【０００７】
本考案の実施例により、前記ベースは矩形である。前記仕切り板は十字形の仕切り板であり、四つのタイルを仕切ることに適する。このように、四つのタイルを前記ベース上に設置し、上下の揃いに適し、かつ前記仕切り板に当接し、左右の揃いに適する。
【０００８】
本考案の実施例により、前記複数のオーバーフロー穴は前記仕切り板に基づいて対称的に分布される。
【０００９】
本考案の実施例により、前記引き部材は縮み部分を有し、かつ前記引き部材が前記縮み部分を通じて前記仕切り板に接続する。前記縮み部分は回転によって割れるようになり、引き部材を取り除くことに適する。
【００１０】
本考案の実施例により、前記タイル固定具は前記引き部材を通過させるための開口部が形成される押し蓋を有する。その他、前記押し蓋は前記ベースと合わせて、前記仕切り板に仕切られる複数のタイルを挟むことに適する。その他、前記押し蓋は上壁および複数の側壁を有し、前記複数の側壁が垂直で前記上壁に接続し、かつ前記開口部が前記上壁を貫通する。その他、前記開口部は傾斜内壁を有し、前記引き部材は鋸歯状外壁を有し、前記開口部の前記傾斜内壁が前記引き部材の前記鋸歯状外壁に相応する。
【００１１】
本考案の実施例により、前記引き部材は前記仕切り板の一方と離れる引き穴を有する。前記引き穴はペンチのピボット、またはペンチのピボットから延伸された繋ぎ具に通過されることができ、ペンチのピボットで前記引き部材に力を加えることに適する。
【考案の効果】
【００１２】
したがって、本考案のタイル固定具によって、複数のタイルが互いに前後、左右で揃うことができ、特に上下が同じ水平面で揃い、タイルを所定の壁面に平坦に貼り付けて固定させ、タイルの固定を強化させる。
【図面の簡単な説明】
【００１３】
【図１】図１は、本考案の実施例のタイル固定具の組立図である。
【図２】図２は、図１のA-A切断線の立体断面図である。
【図３】図３は、図１のA-A切断線の平面断面図である。
【図４】図４は、図１のB-B切断線の平面断面図である。
【図５】図５は、本考案の実施例のタイル固定具の操作図である（その１）。
【図６】図６は、本考案の実施例のタイル固定具の操作図である（その２）。
【図７】図７は、本考案の実施例のタイル固定具の操作図である（その３）。
【図８】図８は、本考案の実施例のタイル固定具の操作図である（その４）。
【図９】図９は、本考案の実施例のタイル固定具を用いてタイルを壁面に固定させる斜視図である。
【図１０】図１０は、図９におけるタイル固定具を用いてタイルを壁面に固定させるC-C切断線の断面図である。
【図１１】図１１は、本考案の実施例のタイル固定具の力を加える状態を示した説明図である（その１）。
【図１２】図１２は、本考案の実施例のタイル固定具の力を加える状態を示した説明図である（その２）。
【図１３】図１３は、既知技術における不揃いのタイルを示した説明図である。
【図１４】図１４は、本考案の別の実施例の図１のA-A切断線の立体断面図である。
【図１５】図１５は、本考案における違う形態の上引き部品を示した説明図である（その１）。
【図１６】図１６は、本考案における違う形態の上引き部品を示した説明図である（その２）。
【図１７】図１７は、本考案における違う形態の上引き部品を示した説明図である（その３）。
【考案を実施するための形態】
【００１４】
以下は本考案の実施例を提供する。以下の実施例は意図的に限定するものではない。本考案の技術的特徴は、他の実施例に適するために、変更、置換、組み合わせ、分離、および設計することができる。
【００１５】
図１、図２、図３および図４はそれぞれ本考案の実施例のタイル固定具の組立図、図1のA-A切断線の立体断面図および平面断面図、図1のB-B切断線の平面断面図である。図１乃至図４を同時に参照する。
【００１６】
本考案のタイル固定具１は上引き部品および下押し部品を備える。上引き部品はベース１１、仕切り板１２および引き部材１３を有する。下押し部品は押し蓋２１を有する。前記ベース１１、前記仕切り板１２、前記引き部材１３および前記押し蓋２１はプラスチック製でもよい。
【００１７】
前記ベース１１は複数のオーバーフロー穴１１１を有する。前記複数のオーバーフロー穴１１１は前記ベース１１を貫通し、かつモルタル材料６０が前記ベース１１の一方の表面から前記ベース１１の他方の表面に溢れ出る。これにより、もし前記ベース１１の一方の表面はより多くのモルタル材料６０があれば、モルタル材料６０は前記ベース１１の他方の表面に溢れ出るので、前記タイル固定具１自身における複数の隅が同じ水平面で揃うことができ、前記タイル固定具１に固定された複数のタイル３０における複数の隅が互いに同じ水平面で揃い、タイル３０を所定の壁面４０に平坦に貼り付けて固定させる。
【００１８】
前記仕切り板１２は前記ベース１１上に設置され、かつ前記ベース１１上に設置される複数のタイル３０を仕切ることに適する。
【００１９】
前記ベース１１は矩形であり、好ましくは正方形であるが、他の形状も可能である。前記仕切り板１２は十字形の仕切り板であり、好ましくは縦横が同じ長さの十字形の仕切り板であり、四つのタイル３０を仕切ることに適する。ただし、他の形状も可能である。実際には、前記仕切り板１２の厚さは３ｍｍであり、高さは８ｍｍであるが、これらに限定するものではない。四つのタイル３０を前記ベース１１上に設置し、上下の揃いに適し、かつ前記仕切り板１２に当接し、左右の揃いに適する。好ましくは、前記仕切り板１２および前記ベース１１は一体に成形される。好ましくは、前記複数のオーバーフロー穴１１１は前記仕切り板１２に基づいて対称的に分布されることによって、複数のタイル３０が本考案のタイル固定具１に対称的に固定される。
【００２０】
図２に示すように、前記引き部材１３は前記仕切り板１２上に設置される。実際には、前記引き部材１３の縦の長さは３ｍｍであり、横の長さは３ｍｍであり、高さは６０ｍｍ以上の直方体であり、あるいは直径３ｍｍであり、高さは６０ｍｍ以上の円柱体であるが、これらに限定するものではない。前記引き部材１３は使用者が上引き部品を上に引くことに適する。好ましくは、前記引き部材１３および前記仕切り板１２は一体に成形される。好ましくは、前記引き部材１３は縮み部分１３１を有し、かつ前記引き部材１３が前記縮み部分を通じて前記仕切り板に接続する。前記引き部材１３に切り目を形成させて縮み部分１３１を形成することができる。好ましくは、縮み部分１３１の構造は垂直の引っ張る力に耐えるように形成されるが、回転トルクに耐えられない。例えば、四角形または多角形の柱体の形状である。タイル３０の揃え作業および固定が完了した後、使用者は前記引き部材１３を回転させることができ、前記引き部材１３の縮み部分１３１は回転トルクに耐えられず、前記引き部材１３を取り外すことができる。図９および図１０は、前記引き部材１３が取り外された状態を示している。
【００２１】
図１を参照する。前記押し蓋２１は上壁２１１および複数の側壁２１２を有し、前記複数の側壁２１２が垂直で前記上壁２１１に接続する。実際には、前記上壁２１１の厚さは２.５ｍｍであり、前記側壁２１２の高さは２５ｍｍであるが、これらに限定するものではない。前記押し蓋２１は前記引き部材１３を通過させるための開口部２１３が形成される。実際には、前記引き部材１３に合わせて、前記開口部２１３は縦の長さが３ｍｍであり、横の長さが３ｍｍの正方形の開口部であり、あるいは直径が３ｍｍの円形の開口部であるが、これらに限定するものではない。前記開口部２１３が前記上壁２１１を貫通する。前記押し蓋２１は前記ベース１１と合わせて、前記仕切り板１２に仕切られる複数のタイル３０を挟むことに適し、図３および図４に示すようである。
【００２２】
図１を参照する。前記押し蓋２１は直方体であり、あるいは正六面体であるが、前記押し蓋２１が前記ベース１１に付勢することに適すれば、これらの形状に限定するものではなく、円柱体または楕円柱状体でもよい。要するに、前記押し蓋２１を通じて複数のタイル３０に等しい力を加えることができ、前記ベース１１を通じて複数のタイル３０に等しい力を加えることもできる。その他、前記押し蓋２１を通じて複数のタイル３０に力を加える箇所は対称でなければならなく、前記ベース１１を通じて複数のタイル３０に力を加える箇所も対称でなければならない。このように、複数のタイル３０が互いに同じ水平面で揃うことが確保され、タイル３０を所定の壁面４０に平坦に貼り付けて固定させる。
【００２３】
前記押し蓋２１は複数のタイル３０を下方に押すことに用いるため、前記押し蓋２１が逆方向に上昇することを防止する必要がある。これに対して、図２に示すように、好ましくは、前記押し蓋２１の前記開口部２１３は傾斜内壁２１４を有し、前記引き部材１３は鋸歯状外壁１３２を有し、前記押し蓋２１の前記開口部２１３の前記傾斜内壁２１４が前記引き部材１３の前記鋸歯状外壁１３２に相応する。特に、図２の拡大図を参照できる。これによって、前記押し蓋２１は前記鋸歯状外壁１３２に相応して下方に移動し、逆方向の上方に移動できず、力を加える効率を確保できる。複数のタイル３０は本考案のタイル固定具１の押し蓋２１およびベース１１による押す力を受けて、互いに同じ水平面で揃い、タイル３０を所定の壁面４０に平坦に貼り付けて固定させる。
【００２４】
図５、図６、図７および図８はそれぞれ本考案の実施例のタイル固定具の操作図である。
【００２５】
まず、図５に示すように、使用者は壁面４０にモルタル材料６０を塗布し、モルタル材料６０が湿潤な状態で二つのタイル３０をモルタル材料６０上に設置する。
【００２６】
続いて、図６に示すように、本考案のタイル固定具１を設置した二つのタイル３０の下方のモルタル材料６０に挿入し、二つのタイル３０を前記ベース１１上に位置づけさせ、前記仕切り板１２の片側に位置する（例えば、左側または右側）。実際には、前記タイル固定具１はタイルの下方３ｍｍに位置づけ、その間にモルタル材料６０が充填されるが、これに限定するものではない。その後、前記ベース１１上で前記仕切り板１２の他側（相応な右側または左側）にモルタル材料６０を塗布する。前記複数のオーバーフロー穴１１１を通じて前記ベース１１の下表面から前記ベース１１の上表面に溢れ出るモルタル材料６０も利用可能である。
【００２７】
続いて、図７に示すように、もう二つのタイル３０を前記ベース１１上の前記仕切り板１２の他側（相応な右側または左側）に設置する。このように、四つのタイル３０が前記ベース１１上に設置され、前記仕切り板１２に左上、左下、右上および右下に仕切られる。しかし、この時点では、四つのタイル３０はしっかりと固定されず、同じ水平面で揃っていない。
【００２８】
続いて、図８に示すように、前記引き部材１３を前記押し蓋２１の前記開口部２１３を通過させ、前記押し蓋２１で四つのタイル３０を覆う。
【００２９】
続いて、図３および図４に示すように、前記引き部材１３を引き上げて前記仕切り板１２を駆動して、前記ベース１１が駆動されて前記ベース１１が複数のタイル３０を上方に押し上げる。同時に、前記押し蓋２１を押し下げ、前記押し蓋２１が複数のタイル３０を押し下げ、複数のタイル３０は前記押し蓋２１と前記ベース１１に挟まれ、前記押し蓋２１と前記ベース１１に押されて同じ水平面で互いに揃い、タイル３０を所定の壁面４０に平坦に貼り付けて固定させる。具体的に、複数のタイル３０における露出した複数の表面は同じ高さHに位置し、図１０に示すようである。
【００３０】
図９および図１０は本考案の実施例のタイル固定具１を用いてタイル３０を壁面４０に固定させる斜視図およびC-C切断線の断面図である。
【００３１】
図９および図１０に示すように、タイル３０の固定が完了した後、使用者は前記押し蓋２１を取り外すことができる。前記押し蓋２１は再利用することができる。このように、前記押し蓋２１を含む下押し部品と、前記ベース１１と、前記仕切り板１２と、前記引き部材１３とを含む上引き部品は選択的に分離する形式で存在できる。
【００３２】
その他、使用者は前記引き部材１３を回転させることができ、前記引き部材１３の縮み部分１３１は回転トルクに耐えられず、前記引き部材１３を取り外すことができる。したがって、図９および図１０の完成図では、本考案のタイル固定具１のベース１１および仕切り板１２はタイルに装飾される壁面４０上に残る。具体的には、前記ベース１１は複数のタイル３０の下に保持され、仕切り板１２は複数のタイル３０の継ぎ目３１に保持される。
【００３３】
図１１および図１２は本考案の実施例のタイル固定具の力を加える状態を示した説明図である。
【００３４】
図１１に示すように、使用者はツールを用いて前記押し蓋２１の押圧力と前記引き部材１３の引っ張り力とを同時に提供することができる。例えば、ペンチ５０を用いる。前記ペンチ５０のレバー５１の端部５１１を前記引き部材１３に当接させ、前記引き部材１３が前記ペンチ５０のピボット５２に固定される。好ましくは、前記引き部材１３は前記仕切り板１２の一方と離れる引き穴１３３を有する。前記引き穴１３３は前記ペンチ５０の前記ピボット５２、または前記ペンチ５０の前記ピボット５２から延伸された繋ぎ具５３（例えば、フック）に通過されることができ、前記ペンチ５０の前記ピボット５２で前記引き部材１３に力を加えることに適する。
【００３５】
図１２に示すように、前記ペンチ５０が鋏の動きによって閉じられると、前記ペンチ５０の前記レバー５１の前記端部５１１が前記押し蓋２１を押し下げ、同時に、前記ピボット５２が前記引き部材１３を引き上げる。前記押し蓋２１は、複数のタイル３０を下方に押し、前記引き部材１３が仕切り板１２を駆動することにより、前記ベース１１が駆動されて複数のタイル３０を上方に押し上げる。複数のタイル３０は前記押し蓋２１と前記ベース１１に挟まれ、前記押し蓋２１と前記ベース１１に押されて同じ水平面で互いに揃う。
【００３６】
本考案の別の実施例において、図１４に示すように、前記タイル固定具１の上引き部品の引き部材１３もねじ状外壁１３４を有することができ、下押し部品においてねじ穴２１５を有する押し蓋２１に相応し、前記押し蓋２１を容易に上引き部品に固定させることができる。（但し、タイル３０が平坦にされた後、前記押し蓋２１は前記引き部材１３とともに取り外される。）前の実施例と同じように、この設計の下押し部品は繰り返し使用に適しており、さらに、この実施例における前記ねじ穴２１５をロックする方法は可逆的な手順である。すなわち、使用者は作業の必要に応じていつでも下押し部品を上引き部品に固定することができ、あるいは両者を分離させることができるので、作業の自由度を高めることができる。
【００３７】
本考案のさらなる実施例において、図１５、図１６および図１７に示すような違う形態の上引き部品は、違うタイルの配置需要によってその中の一つ形態を選択して作業を行う。図15におけるタイル固定具１’は十字形の仕切り板である。図１６および図１７におけるタイル固定具１”はT字形の仕切り板であり、二つまたは三つのタイル（図示せず）を仕切ることに適する。実施例において、T字形の仕切り板の位置と引き部材の柔軟な配置を通じて、T字形の仕切り板のT字型頭部（図１６では、引き部材に近い側）が、十字形の仕切り板によるタイルの配置と違うタイルの配置を実現でき、タイルを貼り付ける際の組み合わせの変化を増加させる。図１７において、引き部材が設置された位置は、タイル固定具１”が壁面に当接して設置する際に適する。壁面に妨げられずに下押し部品を上引き部品にロックでき、タイルを所定の壁面に平坦に貼り付けて固定させる効果に達する。
【００３８】
すなわち、本考案のタイル固定具は、複数のタイルが互いに同じ水平面で揃うことを促進でき、タイルを所定の壁面に平坦に貼り付けて固定させ、タイルの固定を強化させる。
【００３９】
上述の実施例を通じて本考案の実施形態を説明し、当業者は本明細書で開示されている内容を通じて容易に本考案その他の利点と効果を理解できる。本考案の精神および特許請求の範囲を逸脱することなく様々な変更や修正を加えることができる。
【符号の説明】
【００４０】
１            タイル固定具
１’、１”      タイル固定具（上引き部品のみ図示する）
１１          ベース
１１１        オーバーフロー穴
１２          仕切り板
１３１        縮み部分
１３２        鋸歯状外壁
１３３        引き穴
１３４        ねじ状外壁
２１          押し蓋
２１１        上壁
２１２        側壁
２１３        開口部
２１４        傾斜内壁
２１５        ねじ穴
３０          タイル
３１          継ぎ目
４０          壁面
５０          ペンチ
５１          レバー
５１１        端部
５２          ピボット
５３          繋ぎ具
H            高さ
【図１】
0003220688.tif 000003
【図２】
0003220688.tif 000004
【図３】
0003220688.tif 000005
【図４】
0003220688.tif 000006
【図５】
0003220688.tif 000007
【図６】
0003220688.tif 000008
【図７】
0003220688.tif 000009
【図８】
0003220688.tif 000010
【図９】
0003220688.tif 000011
【図１０】
0003220688.tif 000012
【図１１】
0003220688.tif 000013
【図１２】
0003220688.tif 000014
【図１３】
0003220688.tif 000015
【図１４】
0003220688.tif 000016
【図１５】
0003220688.tif 000017
【図１６】
0003220688.tif 000018
【図１７】
0003220688.tif 000019